【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
通信ライン及び前記通信ラインに接続される１つ以上のデバイスを有するプロセス制御通信ネットワークの障害を検出する方法であって、
第１電子信号を前記通信ライン上にハンドヘルドデバイスから供給し、
前記通信ライン上の前記第１電子信号に応答して、前記ハンドヘルドデバイスで前記通信ライン上の第２電子信号を測定し、
前記ハンドヘルドデバイス内のコンピュータプロセッサで、測定第２電子信号を分析して、前記通信ラインの高インピーダンス障害を突き止め、
検出された高インピーダンス障害が発生していることをユーザに対して、前記ハンドヘルドデバイス上のユーザディスプレイを介して通知する、方法。
【請求項２】
前記通信ライン上の前記第２電子信号を測定する際に、前記通信ライン上の電流を測定し、前記測定第２電子信号を分析する際に、前記通信ライン上の測定電流が閾値を下回るかどうかを判断する、請求項１に記載のプロセス制御通信ネットワークの障害を検出する方法。
【請求項３】
前記測定第２電子信号を分析する際に、前記通信ライン上の前記測定電流が略ゼロであるかどうかを判断する、請求項２に記載のプロセス制御通信ネットワークの障害を検出する方法。
【請求項４】
前記測定第２電子信号を分析する際に、前記通信ライン上の前記測定電流が前記通信ライン上の特定の数のデバイスについて予測される引き込み電流よりも小さいかどうかを判断する、請求項２に記載のプロセス制御通信ネットワークの障害を検出する方法。
【請求項５】
プロセス制御システムの通信ラインの障害を検出するために使用されるハンドヘルドメンテナンスツールであって、
前記通信ラインに電子的に接続されるように構成される入力／出力インターフェースと、
給電信号及び通信信号を前記通信ライン上に乗せる電源と、
１つ以上の電子信号センサと、
ユーザインターフェースと、
プロセッサと、
前記プロセッサ上で実行されるプログラムを格納するコンピュータ可読メモリであって、前記通信ライン上に乗せた給電信号に応答して、前記プログラムが前記プロセッサ上で実行されて前記通信ライン上の電子信号を測定することにより測定電子信号を分析して、前記通信ラインの高インピーダンス障害を突き止め、検出された高インピーダンス障害が発生していることをユーザに対して前記ユーザインターフェースを介して通知する、前記コンピュータ可読メモリと、を備える、ハンドヘルドメンテナンスツール。
【請求項６】
前記１つ以上の電子信号センサは、前記通信ライン上の電流を測定する電流センサを含み、前記プログラムは前記測定電子信号を、前記通信ライン上の測定電流が閾値を下回るかどうかを判断することにより分析する、請求項５に記載のハンドヘルドメンテナンスツール。
【請求項７】
前記プログラムは、前記測定電子信号を、前記通信ライン上の前記測定電流が、略ゼロであるか、前記通信ラインに接続されている特定の数のデバイスについて予測される引き込み電流よりも小さいか、を判断することにより分析する、請求項６に記載のハンドヘルドメンテナンスツール。
【請求項８】
前記プログラムは、前記通信ライン上の前記測定電流が、前記通信ラインの伝送線路の両端に接続される既知のダミー負荷に引き込まれる電流に等しいかどうかを判断する、請求項６に記載のハンドヘルドメンテナンスツール。
【請求項９】
一連の通信ラインと、前記一連の通信ラインに接続される１つ以上のデバイスと、を有するプロセス制御ネットワーク通信バスの障害の箇所を検出する方法であって、
パルス信号を前記通信ライン上に、前記通信ラインに接続されるハンドヘルドデバイスを介して第１時刻に発生させ、
エコーパルス信号を前記通信ライン上に前記ハンドヘルドデバイスで第２時刻に検出し、前記エコーパルス信号が、前記障害からの前記パルス信号の反射パルス信号であり、前記方法では更に、
前記ハンドヘルドデバイスのコンピュータプロセッサを介して前記通信ライン上の前記障害の箇所を検出エコーパルス信号に基づいて突き止める、方法。
【請求項１０】
前記通信ライン上の前記障害の前記箇所を突き止める際に、前記検出エコーパルス信号の振幅を測定し、前記検出エコーパルス信号の振幅を前記パルス信号の振幅と比較して振幅低下を確認し、前記振幅低下を使用して前記障害までの距離を求める、請求項９に記載のプロセス制御ネットワークの前記障害の箇所を検出する方法。
【請求項１１】
パルス信号を前記通信ライン上に発生させる際に、第１振幅を有する第１パルス信号を前記通信ライン上に発生させ、前記第１パルス信号に応答して、エコーパルス信号が特定の期間内に受信されるかどうかを検出し、エコーパルス信号が前記特定の期間内に受信されない場合、前記第１振幅よりも大きい第２振幅を有する第２パルス信号を前記通信ライン上に発生させ、前記第２パルス信号に応答して、エコーパルス信号が第２期間内に受信されるかどうかを検出する、請求項９または請求項１０に記載のプロセス制御ネットワークの前記障害の箇所を検出する方法。
【請求項１２】
更に、前記パルス信号を発生させたことに伴う前記ハンドヘルドデバイスのバッテリ使用量を追跡し、前記ハンドヘルドデバイスのユーザに対して、障害箇所を検出するための前記ハンドヘルドデバイス内のパルス信号発生器の使用に関連する電力状態について警告する、請求項１０または請求項１１に記載のプロセス制御ネットワークの前記障害の箇所を検出する方法。
【請求項１３】
一連の通信ラインの障害を検出するために使用されるプロセス制御システムのハンドヘルドメンテナンスツールであって、
前記通信ラインに接続されるように構成される入力／出力インターフェースと、
パルス信号を発生させて前記通信ライン上に乗せるように構成されるパルス信号発生器と、
１つ以上の電子信号センサと、
ユーザインターフェースと、
プロセッサと、
前記プロセッサ上で実行されるプログラムを格納するコンピュータ可読メモリであって、前記通信ライン上の前記パルス信号に応答して、前記プログラムが実行されて前記通信ライン上の電子信号を測定することにより測定電子信号を分析して前記通信ラインの障害の箇所を突き止め、前記突き止めた箇所に前記障害が発生していることをユーザに対して前記ユーザインターフェースを介して通知する、前記コンピュータ可読メモリと、を備える、ハンドヘルドメンテナンスツール。
【請求項１４】
前記プログラムは更に、前記パルス信号発生器に指示してパルス信号を前記通信ライン上に第１時刻に乗せ、前記１つ以上の電子信号センサを使用して、エコーパルス信号を前記通信ライン上にハンドヘルドデバイスで第２時刻に検出し、前記エコーパルス信号は、前記障害からの前記パルス信号の反射パルス信号であり、前記プログラムは、前記エコーパルス信号を使用して前記通信ライン上の前記障害の前記箇所を突き止める、請求項１３に記載のハンドヘルドメンテナンスツール。
【請求項１５】
前記プログラムは前記エコーパルス信号を使用して前記通信ライン上の前記障害の前記箇所を、前記第１時刻と前記第２時刻との時間差を測定し、前記時間差を使用して前記障害までの距離を求めることにより突き止める、請求項１４に記載のハンドヘルドメンテナンスツール。
【請求項１６】
前記プログラムは検出エコーパルス信号の振幅を前記パルス信号の振幅と比較して振幅低下を確認し、前記振幅低下を使用して前記障害までの距離を求める、請求項１４または請求項１５に記載のハンドヘルドメンテナンスツール。
【請求項１７】
通信ラインと、前記通信ラインに接続される１つ以上のデバイスと、を有するプロセス制御ネットワークの障害を検出する方法であって、
第１給電信号を前記通信ライン上に第１振幅レベルで、前記通信ラインに接続されるハンドヘルドデバイスから供給し、
前記通信ライン上の前記第１給電信号に応答して、前記通信ライン上の電流を前記ハンドヘルドデバイスで測定し、
前記第１給電信号に応答して、測定電流信号を前記ハンドヘルドデバイス内のプロセッサを介して分析して、低インピーダンス障害が前記通信ラインに発生していることを確認し、
低インピーダンス障害状態が、前記通信ライン上の前記第１給電信号に応答して確認されない場合、
（１）第２給電信号を前記通信ライン上に、前記第１振幅レベルよりも高い第２振幅レベルで供給し、
（２）前記通信ライン上の前記第２給電信号に応答して、前記通信ライン上の別の電流信号を測定し、
（３）別の前記測定電流信号を分析して、低インピーダンス障害が前記通信ラインに発生していることを確認し、
低インピーダンス障害が、前記第１給電信号または前記第２給電信号のいずれかについて確認される場合に、検出された障害が発生していることをユーザに対して前記ハンドヘルドデバイス上のユーザインターフェースを介して通知する、方法。
【請求項１８】
更に、低インピーダンス障害が、前記第１給電信号または前記第２給電信号のいずれかについて確認される場合に、前記第１給電信号または前記第２給電信号を前記通信ラインから取り出す、請求項１７に記載のプロセス制御ネットワークの障害を検出する方法。
【請求項１９】
前記第１給電信号に応答して、前記測定電流信号を分析して低インピーダンス障害が前記通信ラインに発生していることを確認する際に、前記測定電流信号が第１閾値よりも高いかどうかを判断し、前記第２給電信号に応答して、別の前記測定電流信号を分析して低インピーダンス障害が前記通信ラインに発生していることを確認する際に、別の前記測定電流信号が、前記第１閾値よりも大きい第２閾値よりも高いかどうかを判断する、請求項請求項１７または請求項１８に記載のプロセス制御ネットワークの障害を検出する方法。
【請求項２０】
更に、前記通信ライン上の１つ以上のデバイスについて予測される引き込み電流の指示値を前記ハンドヘルドデバイスのメモリに格納し、前記第１給電信号に応答して、前記測定電流信号を分析して低インピーダンス障害が前記通信ラインに発生していることを確認する際に、前記測定電流信号が、前記通信ライン上の１つ以上のデバイスについて予測される引き込み電流の前記指示値に基づいて導出される第１閾値よりも高いかどうかを判断する、請求項１７〜請求項１９の何れか１項に記載のプロセス制御ネットワークの障害を検出する方法。